(57)【特許請求の範囲】
【請求項１】
装置本体に発光部を配置するとともに、前記装置本体に前記発光部からの閃光を反射する反射板を配置してなる電子閃光装置において、
前記反射板の裏面に、操作方法が記載されるシールを、接着剤層、反射層を介して貼着し、前記反射層により前記反射板、前記接着剤層を通過した閃光を反射することを特徴とする電子閃光装置。
【請求項２】
請求項１記載の電子閃光装置において、
前記反射層は、金属箔からなることを特徴とする電子閃光装置。
【請求項３】
請求項１または２記載の電子閃光装置において、
前記反射板は、前記装置本体内に収容自在とされていることを特徴とする電子閃光装置。
【発明の詳細な説明】
【０００１】
【発明の属する技術分野】
本発明は、電子閃光装置に係わり、特に、バウンス撮影に使用される反射板を備えた電子閃光装置に関する。
【０００２】
【従来の技術】
従来、バウンス撮影時に被写体を間接的に照明する機能を備えた電子閃光装置として、二灯式の電子閃光装置が知られている。
この二灯式の電子閃光装置は、バウンス撮影時に被写体を主に照明する第１の発光窓と、常に正面のみを照射する照射光量の小さい第２の発光窓を有している。
【０００３】
しかしながら、このような二灯式の電子閃光装置では、発光管を２本配置する必要があるため、装置の小型化の妨げになり、また、製造コストが増大するという欠点がある。
一方、従来、このような電子閃光装置として、例えば、実開平６−２３４５号公報に開示されるように、反射板を備えた電子閃光装置が知られている。
【０００４】
図８は、この公報に開示される電子閃光装置を示すもので、この電子閃光装置は、電子閃光装置の装置本体が、上部装置本体１と下部装置本体３により構成されている。
上部装置本体１は、回動軸５を介して下部装置本体３に対して回動自在に配置されている。
【０００５】
上部装置本体１には、撮影時に閃光を発光する発光部７が配置されている。
そして、上部装置本体１の発光部７の上側には、ワイドパネル９および反射板１１が、上部装置本体１内に収容自在に配置されている。
なお、ワイドパネル９は、発光部７の発光窓１３からの閃光を拡散し、照射角を変更するもので、例えば、透明な板部材の表面にピラミッド形の突部を多数形成したものが使用される。
【０００６】
また、反射板１１は、特に、バウンス撮影時に被写体の目を生き生きと撮影するために使用され、バウンス光に対してそれ程強くはならず、かつ色温度も変わらないような、例えば、乳白色をした厚み０.２〜０.４ｍｍ程度のポリエステル等の板材が使用される。
このような電子閃光装置を使用してのバウンス撮影は、例えば、図９に示すように、上部装置本体１から反射板１１を引き出した状態で発光窓１３を、天井１５に向けて位置させ、発光部７を閃光させることにより行われる。
【０００７】
そして、このようなバウンス撮影では、発光部７からの閃光が反射板１１に反射され、被写体１７に照射されるため、被写体１７の目に生き生きとしたアイキャッチ効果を出すことができる。
【０００８】
【発明が解決しようとする課題】
しかしながら、このような電子閃光装置では、反射板１１を、軽量かつ安価にするために、比較的肉厚の薄い板材により形成しているため、発光窓１３からの閃光の一部が反射板１１を透過してしまい、被写体１７を充分に照射することが困難になるという問題があった。
【０００９】
一方、近時、上述したような電子閃光装置では、電子閃光装置の制御のために多数の操作部材が配置される傾向にあり、操作部材の操作方法等を電子閃光装置に表示することが要望されている。
本発明は、かかる従来の問題を解決するためになされたもので、反射板の反射率を従来より大幅に向上することができるとともに、操作方法を容易，確実に表示することができる電子閃光装置を提供することを目的とする。
【００１０】
【課題を解決するための手段】
請求項１の電子閃光装置は、装置本体に発光部を配置するとともに、前記装置本体に前記発光部からの閃光を反射する反射板を配置してなる電子閃光装置において、前記反射板の裏面に、操作方法が記載されるシールを、接着剤層、反射層を介して貼着し、前記反射層により前記反射板、前記接着剤層を通過した閃光を反射することを特徴とする。
【００１１】
請求項２の電子閃光装置は、請求項１記載の電子閃光装置において、前記反射層は、金属箔からなることを特徴とする。
請求項３の電子閃光装置は、請求項１または２記載の電子閃光装置において、前記反射板は、前記装置本体内に収容自在とされていることを特徴とする。
【００１２】
（作用）
請求項１の電子閃光装置では、装置本体の発光部からの閃光が、反射板により反射され、また、反射板を透過した光が反射板の裏面に貼着されるシールの反射層により反射される。
【００１３】
請求項２の電子閃光装置では、反射層が、金属箔により形成される。
請求項３の電子閃光装置では、反射板が、装置本体内に収容自在に配置される。
【００１４】
【発明の実施の形態】
以下、本発明の実施形態を図面を用いて説明する。
【００１５】
図１は、本発明の電子閃光装置の第１の実施形態を示している。
この実施形態では、電子閃光装置の装置本体が、上部装置本体３１と下部装置本体３３により構成されている。
上部装置本体３１は、回動部３５を介して下部装置本体３３に対して上下方向に回動自在に配置されている。
【００１６】
上部装置本体３１には、撮影時に閃光を発光する発光部３７が配置されている。
上部装置本体３１の発光部３７の上側には、ワイドパネル３９および反射板４１が、上部装置本体３１内に収容自在に配置されている。
なお、ワイドパネル３９は、発光部３７の発光窓４３からの閃光を拡散し、照射角を変更するもので、例えば、透明な板部材の表面にピラミッド形の突部を多数形成したものが使用される。
【００１７】
また、反射板４１は、特に、バウンス撮影時に被写体の目を生き生きと撮影するために使用され、バウンス光に対してそれ程強くはならず、かつ色温度も変わらないような、例えば、乳白色をした厚み０.２〜０.４ｍｍ程度のポリエステル等の板材が使用される。
図２は、図１の電子閃光装置の背面を示しており、この実施形態では、下部装置本体３３の背面に、電子閃光装置を動作させるための種々の操作部材が配置されている。
【００１８】
すなわち、この電子閃光装置では、下部装置本体３３の背面の上部には、不図示の内蔵されたＣＰＵにより種々の設定された情報を表示するＬＣＤ等からなる表示部４５が配置されている。
そして、この表示部４５の下方には、左側から順に、操作部材であるズームスイッチＳ１、発光モード切換えスイッチＳ２、セレクトスイッチＳ３、アップスイッチＳ４およびダウンスイッチＳ５が配置されている。
【００１９】
また、これ等のスイッチの下段には、左側から順に、テスト発光ボタンＳ６、イルミスイッチＳ７、電源スイッチＳ８が配置されている。
さらに、これ等のスイッチの下段には、レディライト表示窓４７が配置されている。
なお、ズームスイッチＳ１は、発光部３７から発光される閃光の照射角度を変化するためのスイッチであり、また、発光モード切換えスイッチＳ２は、ＴＴＬ調光、外部調光、マニュアル調光等の発光モードを切換えるためのスイッチである。
【００２０】
さらに、セレクトスイッチＳ３は、ＩＳＯ値、絞り値等の入力を選択的に設定するためのスイッチであり、また、アップスイッチＳ４およびダウンスイッチＳ５は、セレクトスイッチＳ３によって選択された内容を変更するためのスイッチである。
また、テスト発光ボタンＳ６は、テスト発光を行うためのスイッチ、イルミスイッチＳ７は、表示部４５を照明するためのスイッチであり、電源スイッチＳ８は、電源状態を制御するためのスイッチである。
【００２１】
そして、この実施形態では、表示部４５の上部には、『ＳＰＥＥＤＬＩＧＨＴ』という文字Ｍ１が印刷されている。
また、ズームスイッチＳ１の上には『ＺＯＯＭ』という文字Ｍ２、発光モード切換えスイッチＳ２の上には『ＭＯＤＥ』という文字Ｍ３、セレクトスイッチＳ３の上には『ＳＥＬ』という文字Ｍ４が印刷されている。
【００２２】
さらに、アップスイッチＳ４の上には『＋』という記号Ｋ１、ダウンスイッチＳ５の上には『−』という記号Ｋ２が印刷されている。
そして、イルミスイッチＳ７の下には照明を示す記号（マーク）Ｋ３が印刷され、電源スイッチＳ８の下には『ＯＮ／ＯＦＦ』という文字Ｍ５が印刷されている。
【００２３】
この実施形態では、上述した文字Ｍ１〜Ｍ５および記号Ｋ１〜Ｋ３が、蓄光性塗料により印刷表示されている。
この蓄光性塗料は、明るい場所に置かれている間に発光するエネルギーを蓄え、暗闇で発光する性質を有している。
このような蓄光性塗料としては、例えば、アルミン酸ストロンチウムを材料とするＮ夜光（ルミノーバ）（根本特殊化学株式会社の商品名）がある。
【００２４】
このＮ夜光（ルミノーバ）は、硫化亜鉛を材料とする従来の夜光塗料に比べて、放射性物質を含まず、残光時間が１０倍程度あり、耐光性にも優れている等多くの長所を有している。
また、アクリル、シリコンゴム等に混ぜ合わせて成形することも可能である。なお、Ｎ夜光については、例えば、日経サイエンスの１９９６年５月号に詳細に記載されている。
【００２５】
この実施形態では、セレクトスイッチＳ３には、図３に示すように、円柱状の突起Ｓ３ａが一体形成されている。
また、アップスイッチＳ４の表面にはプラス記号が、ダウンスイッチＳ５の表面にはマイナス記号が、凸文字により形成されている。
従って、蓄光性塗料による印刷とは別に、手触りによってもセレクトスイッチＳ３、アップスイッチＳ４、およびダウンスイッチＳ５を識別することができる。
【００２６】
さらに、この実施形態では、操作部材である各スイッチＳ１〜Ｓ８が、上述した蓄光性塗料が混入されるアクリル、シリコンゴム等の樹脂により形成されており、各スイッチＳ１〜Ｓ８が暗闇において発光される。
そして、この実施形態では、図１に示したように、反射板４１の裏面にシール４９が貼着されている。
【００２７】
図４は、このシール４９の詳細を示すもので、このシール４９は、樹脂，紙等からなるシール本体５１を有している。
このシール本体５１の裏側に隣接して反射層５３が形成され、また、反射層５３に隣接して接着剤層５５が形成されている。
この実施形態では、反射層５３は、アルミニウム，銀等の金属箔により形成されている。
【００２８】
そして、この実施形態では、シール本体５１の表面には、上述した操作部材からなるスイッチＳ１〜Ｓ８の操作方法の説明図が印刷されている。
なお、この実施形態では、シール本体５１には、一度設定したら滅多に使用されない機能が印刷される。
図５は、シール本体５１の表面に印刷される操作方法の説明図を示すもので、ここには、滅多に使用しない機能を発揮させるために２つのスイッチを同時に操作するスイッチ操作が記載されている。
【００２９】
なお、図５において、黒塗りに文字を白抜きした部材は、図２に示したスイッチＳ１〜Ｓ８に対応しており、図２のスイッチＳ１〜Ｓ８と同一部材には同一符号が付されている。
ここで、『Ｍ  ＺＯＯＭ  ＯＮＬＹ』は、ズームスイッチＳ１とアップスイッチＳ４とを同時に押した時に設定される機能であり、不図示のデータ交信可能なカメラに装着された時に自動的に照射角度の可変が可能となる機能をキャンセルする時に使用されるスイッチ操作である。
【００３０】
ワイドパネル３９が折れた絵が書かれているのは、ズームスイッチＳ１とセレクトスイッチＳ３を同時に押した時に設定される機能であり、図１に示したワイドパネル３９が何らかの原因によって電子閃光装置から外れてしまった時に使用されるスイッチ操作である。
『ＮＯ  ＡＦ  ＩＬＬ』は、発光モード切換えスイッチＳ２とダウンスイッチＳ５を同時に押した時に設定される機能であり、オートフォーカス動作を補助するために電子閃光装置が照射するための不図示のＡＦ補助光を強制的に点灯させなくする時に使用されるスイッチ操作である。
【００３１】
『ＯＮ／ＳＴＢＹ』は、発光モード切換えスイッチＳ２と電源スイッチＳ８とを同時に押した時に設定される機能であり、ＯＮ時は常に電源がＯＮになっている状態であり、ＳＴＢＹ時はある所定時間操作が行われなかった場合にエネルギーセーブのために電源が一時的にＯＦＦにされる。
なお、このＳＴＢＹ状態は、電源スイッチＳ８で設定されるＯＦＦとは異なり、Ｘ接点が閉成されたり、不図示のカメラに電気的に接続される脚部接点に、カメラから信号が出力されると電源スイッチＳ８の操作をしなくても電源状態がＯＮになるモードである。
【００３２】
『(ｍ)／(ｆｔ)』は、イルミスイッチＳ７と電源スイッチＳ８とを同時に押した時に設定される機能であり、表示部４５に表示される調光可能距離範囲の距離単位をｍ(メートル)あるいはｆｔ(フィート)で表す時に使用されるスイッチ操作である。
上述した電子閃光装置を使用してのバウンス撮影は、例えば、図６に示すように、上部装置本体３１から反射板４１を引き出した状態で発光窓４３を、天井５７に向けて位置させ、発光部３７を閃光させることにより行われる。
【００３３】
そして、このようなバウンス撮影では、発光部３７からの閃光が、反射板４１に確実に反射され、被写体５９に照射されるため、被写体５９の目に生き生きとしたアイキャッチ効果を出すことができる。
以上のように構成された電子閃光装置では、反射板４１を透過した一部の光が反射板４１の裏面に貼着されるシール４９の反射層５３により反射されるため、反射板４１の反射率を従来より大幅に向上することができる。
【００３４】
また、反射板４１の裏面に、操作方法が記載されるシール４９を貼着したので、操作方法を容易，確実に表示することができる。
さらに、上述した電子閃光装置では、反射層５３を金属箔により形成したので、高い反射率を確保しながら、反射層５３を薄くすることができる。
【００３５】
また、上述した電子閃光装置では、反射板４１を、上部装置本体３１内に収容自在に配置したので、不使用時に反射板４１が邪魔になることがなく、また、反射板４１の裏面に貼着されるシール４９に記載される操作方法の表示が目障りになることがない。
さらに、上述した電子閃光装置では、下部装置本体３３に、文字Ｍ１〜Ｍ５および記号Ｋ１〜Ｋ３を、蓄光性塗料により表示するようにしたので、特別な部品を使用することなく、下部装置本体３３に表示される文字Ｍ１〜Ｍ５および記号Ｋ１〜Ｋ３を暗闇において確実に視認することができる。
【００３６】
従って、暗闇においても操作部材であるスイッチＳ１〜Ｓ８を容易，確実に操作することができる。
図７は、本発明の電子閃光装置の第２の実施形態を示すもので、この実施形態では、図２に示した下部装置本体３３の表示部４５のパネル板６１が、例えば、透明なアクリル樹脂により形成される導光板とされている。
【００３７】
そして、パネル板６１の裏面に、例えば、『ＳＰＥＥＤＬＩＧＨＴ』という文字Ｍ１が、蓄光性塗料により印刷表示されている。
パネル板６１の端面には、光ファイバー６３の一端が位置され、光ファイバー６３の他端が、発光部３７に配置されるキセノン管６５の近傍に延在されている。
この実施形態では、発光部３７のキセノン管６５からの閃光が、発光毎に光ファイバー６３により導光板であるパネル板６１に導かれ、パネル板６１を介して蓄光性塗料により表示された文字Ｍ１に照射される。
【００３８】
従って、暗闇での使用時にも発光特性を持続することが可能となり、パネル板６１に表示される文字Ｍ１を、使用者は、容易，確実に、目６７により認識することができる。
なお、上述した実施形態では、上部装置本体３１と下部装置本体３３により装置本体を構成した例について説明したが、本発明はかかる実施形態に限定されるものではなく、上部装置本体と下部装置本体とを一体に構成しても良い。
【００３９】
また、上述した実施形態では、蓄光性塗料により文字Ｍ１〜Ｍ５および記号Ｋ１〜Ｋ３そのものを直接印刷表示した例について説明したが、本発明はかかる実施形態に限定されるものではなく、文字または記号の外側部分を蓄光性塗料により印刷表示して白抜きで文字または記号を表示しても良い。
【００４０】
【発明の効果】
以上述べたように、請求項１の電子閃光装置では、反射板を透過した光が反射板の裏面に貼着されるシールの反射層により反射されるため、反射板の反射率を従来より大幅に向上することができる。
【００４１】
また、反射板の裏面に、操作方法が記載されるシールを貼着したので、操作方法を容易，確実に表示することができる。
請求項２の電子閃光装置では、反射層を金属箔により形成したので、高い反射率を確保しながら、反射層を薄くすることができる。
請求項３の電子閃光装置では、反射板を、装置本体内に収容自在に配置したので、不使用時に反射板が邪魔になることがなく、また、反射板の裏面に貼着されるシールに記載される操作方法の表示が目障りになることがない。
【図面の簡単な説明】
【図１】本発明の電子閃光装置の第１の実施形態を示す斜視図である。
【図２】図１の電子閃光装置を示す背面図である。
【図３】図１の電子閃光装置のセレクトスイッチを示す断面図である。
【図４】図１の電子閃光装置の反射板を示す断面図である。
【図５】図１の電子閃光装置の反射板のシールに印刷される図を示す説明図である。
【図６】図１の電子閃光装置の反射板の使用方法を示す説明図である。
【図７】本発明の電子閃光装置の第２の実施形態を示す説明図である。
【図８】従来の電子閃光装置を示す斜視図である。
【図９】図８の電子閃光装置の反射板の使用方法を示す説明図である。
【符号の説明】
３１  上部装置本体
３３  下部装置本体
３７  発光部
４１  反射板
４９  シール
５３  反射層
【図１】
0003918244.tif 000002
【図２】
0003918244.tif 000003
【図３】
0003918244.tif 000004
【図４】
0003918244.tif 000005
【図５】
0003918244.tif 000006
【図６】
0003918244.tif 000007
【図７】
0003918244.tif 000008
【図８】
0003918244.tif 000009
【図９】
0003918244.tif 000010